(57)【要約】      （修正有）【課題】オブジェ本体内に埋め込んだ遺骨等が確実に依頼したものであることを確認することができるメモリアルオブジェを提供する。【解決手段】透明なアクリル樹脂製のオブジェ本体１１内の中央に金属製のカプセル１２を浮き上がり状態となるよう埋設されている。カプセル１２の蓋の下面には、各カプセル１２毎に固有に与えられた文字記号等からなる識別標識が付されている。【選択図】図１
0003208834.tif 000002
【実用新案登録請求の範囲】
【請求項１】
遺骨・遺品等を密閉状態で収容するカプセルと、透明材料製であって前記カプセルを内部に埋め込んだオブジェ本体と、前記カプセルに設けられ前記カプセル内に前記遺骨・遺品等を収容する際に外部から視認可能であって、かつ、前記オブジェ本体内にあってもその外部から視認可能な識別標識とを備えるメモリアルオブジェ。
【請求項２】
前記カプセル又は前記オブジェ本体に、外部から無線通信によって情報を読み出し可能なＲＦＩＣタグが設けられている請求項１記載のメモリアルオブジェ。
【請求項３】
前記オブジェ本体に、外部から携帯端末機のカメラによって撮影可能なバーコードが付されている請求項１記載のメモリアルオブジェ。
【請求項４】
前記オブジェ本体の表面にレーザー照射による文字又は記号が形成されている請求項１ないし請求項３のいずれか一項に記載のメモリアルオブジェ。
【請求項５】
前記オブジェ本体には蓄光剤部が設けられている請求項１ないし請求項４のいずれか一項に記載のメモリアルオブジェ。
【請求項６】
前記蓄光剤部は前記オブジェ本体の一面に付設された樹脂プレートであって、前記樹脂プレートの前記カプセル側の面とは反対側の面に前記蓄光剤部からの光を前記カプセル側に反射させる反射層が設けられている請求項５記載のメモリアルオブジェ。
【請求項７】
前記オブジェ本体には、前記オブジェ本体内に埋め込まれた前記カプセルとは異なるカプセルを収容するためのカプセル追加孔が設けられている請求項１ないし請求項６のいずれか一項に記載のメモリアルオブジェ。
【請求項８】
前記オブジェ本体には、他のオブジェ本体と一体化するための係合手段が設けられている請求項１ないし請求項６のいずれか一項に記載のメモリアルオブジェ。
【請求項９】
前記オブジェ本体には、プリントされた写真が併せて付されている請求項１ないし請求項８のいずれか一項に記載のメモリアルオブジェ。
【考案の詳細な説明】
【技術分野】
【０００１】
本考案は、遺骨、遺品等を飾り、保存するためのメモリアルオブジェに関する。
【背景技術】
【０００２】
従来、我が国では、近親者の死後、遺骨等を家族が墓地や永代供養施設に納骨し、これを代々供養することで死者を祀り、偲ぶことが行われている。しかし、宗教・思想的多様化や家族関係の多様化等の社会環境の変化に起因して、このような儀式・習慣を一部では維持できなくなっているのが現状である。
【０００３】
そこで、墓地や宗教施設に依らず、故人の遺骨、遺品等を身近に飾って故人を祀り、偲ぶという形態も現れつつある。例えば下記の特許文献１には、遺骨や指輪等の遺品を透明樹脂中に浮いた状態で埋設した構成のメモリアルオブジェが開示されている。
【先行技術文献】
【特許文献】
【０００４】
【特許文献１】特開２０１６−５２５０４公報
【考案の概要】
【考案が解決しようとする課題】
【０００５】
ところで、上記構成のメモリアルオブジェを製造するには、製品形状の型枠内に遺骨等を設置して透明樹脂を流し込んで固めるという製法を取らざるを得ない。このため、遺骨等を提供した依頼者の目前でその製品を直ちに製造することはできず、遺骨等をいったん預かって工場に持ち込んで製品を製造することになる。
【０００６】
このため、後日、完成品を受け取った依頼者は、メモリアルオブジェ内に埋め込まれている遺骨等が本当に大切な故人のものであるか否かについて確信を持てないし、また、それを確認する術もないというのが実情であった。
【課題を解決するための手段】
【０００７】
本考案のメモリアルオブジェは、遺骨・遺品等を密閉状態で収容するカプセルと、透明材料からなり前記カプセルを内部に埋め込んだオブジェ本体と、前記カプセルに設けられ前記カプセル内に前記遺骨・遺品等を収容する際に外部から視認可能であって、かつ、前記オブジェ本体内にあってもその外部から視認可能な識別標識とを備える。
【０００８】
従って、依頼者の目前でカプセルに遺骨等を収容してそのカプセルの識別標識を依頼者に記録してもらっておけば、後日、そのカプセルをオブジェ本体に埋め込んだ形で納品した際に、依頼者はオブジェ本体内のカプセルの識別標識が記録した識別標識と一致していることを確認して内部の遺品等が確かに依頼したものに間違いないことを確信できる。
【０００９】
なお、カプセル又はオブジェ本体に、外部から無線通信によって情報を読み出し可能なＲＦＩＣタグを設けておけば、そのＲＦＩＣタグと携帯端末とで通信してＲＦＩＣタグに記録した故人の氏名、経歴、写真、動画等の多様な情報を携帯端末に表示させることができる。ＲＦＩＣタグは着脱可能としてもよい。また、必要な情報を記録したバーコードをオブジェ本体に付しておき、これをカメラを備えた携帯電話等の携帯端末機によって撮影することで情報を読み出すようにしてもよい。
【００１０】
また、オブジェ本体の表面にレーザー照射によって氏名、戒名、家紋、辞世の句、経文等を記録しておいてもよい。オブジェ本体に蓄光材部を設けておけば、夜間に室内を消灯した際に電源なしでオブジェ本体が蓄光材層から微弱な光で照らされることになるから、荘厳な雰囲気のオブジェとすることができる。
【００１１】
加えて、オブジェ本体に、内部に埋め込まれたカプセルとは異なるカプセルを収容するためのカプセル追加孔を設けてもよい。そのカプセル追加孔に別の遺骨等を収容したカプセルを追加収容して空隙を透明樹脂で塞ぐようにすれば、例えば夫婦の遺骨等をまとめることが可能になる。また、２つのオブジェ本体を相互に連結する係合手段を設けて一体化してもよい。さらには、オブジェ本体に、遺影等のプリントされた写真を併せて埋設しておけば、一見して誰のメモリアルオブジェであるかが判るようになり、また、メモリアルオブジェ自体を身近に感ずることができるようになる。
【考案の効果】
【００１２】
本考案によれば、オブジェ本体内に埋め込んだ遺骨等が確実に依頼したものであることを確認することができるので、信頼性の高いメモリアルオブジェとすることができる。
【図面の簡単な説明】
【００１３】
【図１】本考案の実施形態１に係るメモリアルオブジェの斜視図
【図２】同じくカプセルの開放状態での斜視図
【図３】同じくカプセルの密閉状態での斜視図
【図４】同じくメモリアルオブジェの断面図
【図５】本考案の実施形態２に係るメモリアルオブジェの斜視図
【図６】本考案の実施形態３に係るメモリアルオブジェの斜視図
【図７】本考案の実施形態４に係るメモリアルオブジェの斜視図
【図８】本考案の実施形態５に係るメモリアルオブジェの斜視図
【図９】本考案の実施形態６に係るメモリアルオブジェの斜視図
【図１０】本考案の実施形態７に係るメモリアルオブジェの斜視図
【図１１】本考案の実施形態８に係るメモリアルオブジェの斜視図
【図１２】本考案の実施形態９に係るメモリアルオブジェの斜視図
【図１３】本考案の実施形態１０に係るメモリアルオブジェの斜視図
【図１４】本考案の実施形態１１に係るメモリアルオブジェの斜視図
【図１５】本考案の実施形態１２に係るメモリアルオブジェの斜視図
【考案を実施するための形態】
【００１４】
＜実施形態１＞
本考案の実施形態１を図１ないし図４によって説明する。
本実施形態のメモリアルオブジェ１０は、図１に示されるように透明材料であるアクリル樹脂製のオブジェ本体１１内の中央に金属製のカプセル１２を浮き上がり状態となるよう埋設して構成されている。
カプセル１２は、図２に示すように、一端を半球状に閉じて他端を開放してなる円筒状をなすカプセル本体１２Ａに、その開放端を密閉するねじ込み式の蓋１２Ｂが装着されてなる。なお、図２ではカプセル１２を図１とは上下反転させた状態で描いてある。蓋１２Ｂの端面には、各カプセル１２毎に固有に与えられた文字記号等からなる識別標識１３が付されている。また、オブジェ本体１１の例えば正面には故人の戒名１４が例えばレーザーマーキング手法によって形成されている。
【００１５】
このメモリアルオブジェ１０はカプセル１２内に例えば遺骨を収容して製造されている。遺骨をカプセル１２内に納める際には、例えば火葬場に会葬した遺族の目前で依頼を受けた業者がカプセル本体１２Ａ内に納骨する。この際、近親者にはカプセル１２の識別標識１３と同一の識別標識を付した確認カードが渡され、カプセル本体１２Ａは図３に示すように、蓋１２Ｂによって密閉される。カプセル１２には外部から視認可能な蓋１２Ｂの外面に識別標識１３が付されているから、遺族は確認カードの識別標識とカプセル１２に付されている識別標識１３とが同一であることは容易に確認できる。
【００１６】
依頼を受けた業者は、そのカプセル１２を製造設備のある作業場に持ち帰り、注文されたメモリアルオブジェ１０を製造する。オブジェ本体１１内でカプセル１２が浮き上がり状態となるよう形成するには、例えばオブジェ本体１１を形成する型枠（図示せず）内にアクリル樹脂を半分量流し込んで半硬化状態としたところでカプセル１２を中央に設置し、その後、残りの半分量を流し込んで図４に示すように完全に埋め込んだ状態とした上でアクリル樹脂を完全硬化させればよい。その後、必要に応じてレーザマーキング装置等によって文字等（例えば戒名１４）をオブジェ本体１１の表面に形成して完成する。
完成したメモリアルオブジェ１０は、後日、遺族の元に納品される。内部のカプセル１２に付されている識別標識１３は、オブジェ本体１１を裏返して見ることで外部から視認可能であるため、これを受け取った遺族は確認カードに付されている識別標識と一致することを確認すれば、そのメモリアルオブジェ１０のカプセル１２内に収容されているものが確かに依頼した近親者の遺骨であることを確信することができる。
【００１７】
＜実施形態２＞
図５は本考案の実施形態２を示す。前記実施形態１との相違は、オブジェ本体１１の底面にＲＦＩＣタグ１５を埋め込んだところにあり、その他は同様である。
ＲＦＩＣタグ１５は、電源を内蔵していないが、外部の例えばスマートホン等の携帯端末機１６との間で例えば無線の近距離通信方式によってデータ通信を行うことができるタイプのものであり、例えば故人の名前、家族関係、経歴、遺影等のデータが予め格納されている。従って、このメモリアルオブジェ１０に携帯端末機１６を近付けて所定のアプリを作動させることにより、故人の様々な記録を携帯端末機１６のディスプレイに表示させることができる。
【００１８】
なお、ＲＦＩＣタグ１５はカプセル１２に付着させておいてもよい。また、多量の写真や音声ファイル或いは動画等を表示させるべく大量のデータが必要な場合には、ＲＦＩＣタグ１５には、インターネット上のデーターベースサーバーのＵＲＬを記録しておき、携帯端末機１６からそのＵＲＬを手がかりに必要なデータをダウンロードする構成を採用することもできる。
【００１９】
＜実施形態３＞
図６は実施形態２のＲＦＩＣタグ１５に代えて、オブジェ本体１１の底面にバーコード１７を付したところが相違し、その他は実施形態１と同様である。
【００２０】
バーコード１７は粘着シートに印刷によって形成し、これをオブジェ本体１１の底面に貼り付けたものである。なお、このバーコードはオブジェ本体１１にレーザーマーキング方によって直接に形成したり、シルク印刷やインクジェット方式によってオブジェ本体１１に直接に形成してもよい。バーコード１７の種類としては、横方向に走査することで情報を読み出す一次元バーコードでも、縦横方向に走査して情報を読み出す二次元バーコードでもよく、データ量に応じて選択できる。バーコードを携帯電話端末機のカメラによって撮影して情報処理を行うことで、故人の名前等の属性情報を携帯端末機のディスプレイに表示したり、所定のデータベースサーバーにアクセスできるようにしてもよい。
【００２１】
＜実施形態４＞
図７はオブジェ本体１１の底面に蓄光剤入りの樹脂プレート１８（蓄光剤部）を設けたところが異なるが、その他は実施形態１と同様である。
【００２２】
樹脂プレート１８は、外光によって蓄光剤が励起され、夜間に室内の照明を消灯した状態でも長時間にわたって燐光を放つ。これにより、夜間にオブジェ本体１１及びカプセル１２が底面側から微弱な光で照らさせることになり、荘厳な雰囲気を与える。なお、樹脂プレート１８のカプセル１２とは反対側の面には、蓄光剤からの燐光を上方に反射させる反射シート１９を貼り付けておくことが好ましい。
【００２３】
＜実施形態５＞
図８はオブジェ本体１１内に、例えば夫婦の遺骨を並んだ２つのカプセルに収容できるようにしたものである。配偶者に先立たれた側が、相手の遺骨を収容したカプセル１２を使ってメモリアルオブジェ１０を製作する。そのメモリアルオブジェ１０には、予め、自分の遺骨を入れたカプセル２０を収容するためのカプセル追加孔２１が形成されており、自らの死後、遺族によってカプセル２０をカプセル追加孔２１に収容して透明樹脂によって封止してもらうことを想定している。
【００２４】
＜実施形態６＞
図９は２つのメモリアルオブジェ１０を組み合わせて一体化することができるようにした例を示す。各オブジェ本体１１の側面には上下方向に延びる蟻溝形の係合溝２３と、この係合溝２３にぴったりと嵌合する係合突条２４とがそれぞれ前後の対称位置に形成されており、これらによって２つのオブジェ本体１１，１１を互いに一体化するための係合手段が構成されている。
このようにすれば、例えば２つのカプセル１２にそれぞれ夫婦の遺骨を入れた２つのメモリアルオブジェ１０を一体化して取り扱うことができる。
＜他の実施形態＞
本考案は上記記述及び図面によって説明した実施形態に限定されるものではなく、例えば次のような実施形態も本考案の技術的範囲に含まれる。
【００２５】
（１）上記各実施形態では、カプセル１２内に遺骨を収容する例を示したが、必ずしもこれに限らず、指輪その他の遺品であってもよい。また、必ずしも人の遺骨・遺品でなくても、ペットの遺骨・遺品であってもよい。
【００２６】
（２）カプセルは必ずしも金属製でなくても樹脂製やガラス製であってもよい。また、透明な樹脂容器とすれば、内部の収容物を外部から視認できるようになるから、遺品等を収容する場合には好適である。
【００２７】
（３）カプセルに付す識別標識は、文字記号等を印刷した粘着シートをカプセルに貼り付ける構成でもよいし、カプセルにレーザーマーキング、機械的彫刻、化学的エッチング等の各種手法で直接に書き込んでもよい。また、識別標識を付する位置は、カプセルの本体でも蓋でもよく、要は、カプセル内に前記遺骨・遺品等を収容する際に外部から視認可能であって、かつ、オブジェ本体内にあってもその外部から視認可能な位置であればよい。
（４）実施形態１では、オブジェ本体１１の表面に戒名をレーザーマーキングした例を示したが、必ずしもレーザーマーキング法によって文字等を付するに限らず、他の印刷手段で文字等を付してもよい。また、戒名に限らず、氏名、家紋、辞世の句、お経等であってもよいし、それらを全く付さないものであってもよい。
【００２８】
（５）実施形態６では、２つのオブジェ本体１１，１１は同形同大のものとしたが、これらは形状が異なるものであってもよい。また、両者を一体化するための係合手段として必ずしも溝と突条との組合せに限られるものではなく、他の凹凸嵌合構造やその他の一体化構造を採用することもできる。
（６）また、オブジェ本体の一面に遺影をプリントした写真シートを貼り付けたり、透明樹脂内に埋設したりしてもよい。
（７）実施形態４では蓄光剤部として蓄光剤粉末を混入した平板状の樹脂プレート１８をオブジェ本体１１の底部に取り付ける構成を示したが、蓄光剤部としてはプレート状に限らず、球体や星形形状、粉末状としてオブジェ本体内に埋設する構成であってもよい。
（８）上記の各実施形態ではオブジェ本体はアクリル樹脂によって形成する例を示したが、これに限らずポリカーボネート等の他の透明樹脂、無機ガラス等の他の透明材料を使用することもできる。
（９）上記の各実施形態ではオブジェ本体は立方体のものを例示したが、これに限られないことは勿論であり、図１０ないし図１６に順に例示するように、三角錐体、四角錐体、六角錐体等の多角錐体、円錐体、円筒体、部分的な縦平坦面を有する円筒体、底部に平坦面を有する球体であってもよく、また図示はしないが上記のような単純な幾何学的立体に限らず、墓石、墓碑形状等の複雑な立体形状であってもよい。
【符号の説明】
【００２９】
１０：  メモリアルオブジェ
１１：  オブジェ本体
１２：  カプセル
１２Ａ：  カプセル本体
１２Ｂ：  蓋
１３：  識別標識
１４：  戒名
１５：  ＲＦＩＣタグ
１６：  携帯端末機
１７：  バーコード
１８：  樹脂プレート
１９：  反射シート
２０：  カプセル
２１：  カプセル追加孔
２３：  係合溝
２４：  係合突条
【図１】
0003208834.tif 000003
【図２】
0003208834.tif 000004
【図３】
0003208834.tif 000005
【図４】
0003208834.tif 000006
【図５】
0003208834.tif 000007
【図６】
0003208834.tif 000008
【図７】
0003208834.tif 000009
【図８】
0003208834.tif 000010
【図９】
0003208834.tif 000011
【図１０】
0003208834.tif 000012
【図１１】
0003208834.tif 000013
【図１２】
0003208834.tif 000014
【図１３】
0003208834.tif 000015
【図１４】
0003208834.tif 000016
【図１５】
0003208834.tif 000017